(57)【要約】【課題】真空吸引式採尿装置に使用する従来の尿タンクは、真空吸引側及び尿吸引側の一対の接続口が、その並置方向が取っ手の回転軸方向と交差するように装着蓋の中央側に並置されており、また取っ手は丸棒材によって構成されているため、取っ手を持って尿タンクを持ち運ぶときに、尿タンクが取っ手の回転軸の回りに揺動しやすく、そして尿タンクの揺動における接続口の変位が大きいので、尿タンク内の尿が接続口から流出し易い。【解決手段】そこで本発明では、タンク本体１２の開口部に装着する装着蓋１３に真空吸引装置５側と尿受け器７側との接続口１４ａ，１４ｂを並置し、取っ手によって揺動可能に支持した尿タンク４において、接続口は、並置方向が取っ手１１の回転軸方向と平行となるように、装着蓋の中央側に並置した尿タンクを提案する。また本発明では、上記取っ手を帯状板材により構成することを提案する。【選択図】図４
2009066066.tif 000002
【特許請求の範囲】
【請求項１】
上部に開口部を形成すると共に、取っ手を回転可能に設けたタンク本体と、前記開口部に装着する装着蓋とから構成し、この装着蓋に真空吸引装置側と尿受け器側との接続口を並置した尿タンクにおいて、接続口は、並置方向が取っ手の回転軸方向と平行となるように、装着蓋の中央側に並置したことを特徴とする真空吸引式採尿装置用の尿タンク。
【請求項２】
取っ手は帯状板材により構成したことを特徴とする請求項１に記載の真空吸引式採尿装置用の尿タンク。
【発明の詳細な説明】
【技術分野】
【０００１】
本発明は、尿受け器から輸尿用チューブを経て尿タンクに至る尿吸引経路と、真空吸引装置から真空吸引チューブを経て尿タンクに至る真空吸引経路とを有する真空吸引式採尿装置用の尿タンクに関する。
【０００２】
このような真空吸引式採尿装置は、例えば特許文献１に示されるように、従来から提案されている。この特許文献１の採尿装置を図７、図８を参照して説明する。
符号１０１は採尿装置の要素を格納する箱体であり、箱体１０１の図中右側は開閉蓋１０２により開閉可能な尿タンク室を構成しており、この尿タンク室に尿タンク１０３を装着可能に構成している。また箱体１０１の図中左側には真空吸引装置１０４を格納し、上側には取っ手１０５を設けている。
【０００３】
尿タンク１０３は、上部に開口部を形成すると共に、取っ手１０６を回転可能に設けたタンク本体１０７と、前記開口部に水密的に装着する装着蓋１０８とから構成している。この装着蓋１０８には、真空吸引装置１０４側と尿受け器１０９側との接続口１１０ａ、１１０ｂを並置しており、これらの接続口１１０ａ、１１０ｂに対応して、上記箱体１０１の開閉蓋１０２の下面側に接続口１１１ａ，１１１ｂを並置している。そして、接続口１１１ｂには尿受け器１０９に連なる輸尿用チューブ１１２を接続しており、また接続口１１１ａには真空吸引装置１０４に連なる真空吸引チューブ１１３を接続している。尚、この採尿装置では真空吸引チューブ１１３は硬質の部分１１３ａと、軟質の部分１１３ｂとを接続して構成している。
【０００４】
以上の構成において、図７、図８から分かるように、装着蓋１０８の接続口１１０ａ，１１０ｂは、並置方向Ｂが取っ手１０６の回転軸方向Ａと交差するように、装着蓋１０８の中央側に並置されている。また取っ手１０６は丸棒材によって構成されている。
【特許文献１】実願昭５５−０３３３７１号（実開昭５７−４８９２４号）のマイクロフィルム
【発明の開示】
【発明が解決しようとする課題】
【０００５】
上述したような従来の真空吸引式採尿装置における尿タンクにおいては、以下に示すような課題がある。
１．上述したとおり、装着蓋の接続口が、その並置方向が取っ手の回転軸方向と交差するように装着蓋の中央側に並置されており、また取っ手は丸棒材によって構成されているため、取っ手を持って尿タンクを持ち運ぶときに、尿タンクが取っ手の回転軸の回りに揺動しやすく、そして尿タンクの揺動における接続口の変位が大きいので、尿タンク内の尿が接続口から流出し易い。
２．取っ手は丸棒材により構成しているため荷重が集中して持ちにくく、負担が大きい。
そこで、本発明は以上の課題を解決することを目的とするものである。
【課題を解決するための手段】
【０００６】
本発明は、以上の目的を達成するために、上部に開口部を形成すると共に、取っ手を回転可能に設けたタンク本体と、前記開口部に装着する装着蓋とから構成し、この装着蓋に真空吸引装置側と尿受け器側との接続口を並置した尿タンクにおいて、接続口は、並置方向が取っ手の回転軸方向と平行となるように、蓋の中央側に並置した真空吸引式採尿装置用の尿タンクを提案する。
【０００７】
また本発明では、上記の構成において、取っ手は帯状板材により構成することを提案する。
【発明の効果】
【０００８】
本発明においては、尿タンクの装着蓋に並置した接続口は、並置方向が取っ手の回転軸方向と平行となるように蓋の中央側に並置しているため、取っ手を持って尿タンクを持ち運ぶときに、尿タンクが取っ手の回転軸の回りに揺動した場合でも、尿タンクの揺動における接続口の変位が小さいので、尿タンク内の尿が接続口から流出し難い。
【０００９】
取っ手を帯状板材により構成すると、持ち運びの際に尿タンクを安定して支持することができ、揺動がし難くなると共に、手に加わる荷重による負担も軽減される。
【発明を実施するための最良の形態】
【００１０】
次に本発明の実施の形態を、添付図面を参照して説明する。
図１は本発明の尿タンクを使用する真空吸引式採尿装置の実施の形態の外観を示す斜視図、また図２は開閉蓋を開いた状態の斜視図、図３は尿タンクを取り出した状態の斜視図、図４は尿タンク部分の拡大図、図５、図６は動作を示す側面図である。
【００１１】
図において符号１は採尿装置の要素を格納する箱体であり、箱体１の図中右側は開閉蓋２により開閉可能な尿タンク室３を構成しており、この尿タンク室３に尿タンク４を装着可能に構成している。また箱体１の図中左側には真空吸引装置５を格納し、上側には取っ手６を上下動可能に設けている。符号７は尿受け器であり、尿受け器７には輸尿用チューブ８の一端側が接続されており、輸尿用チューブ８の他端側は着脱可能な接続部材９により開閉蓋２に形成された輸尿用経路に接続されている。尚、図１、図３においては尿受け器７は、箱体１の上部に設けたホルダー部１０に装着して支持した状態を示している。
【００１２】
尿タンク４は、上部に開口部を形成すると共に、取っ手１１を回転可能に設けたタンク本体１２と、前記開口部に水密的に装着する装着蓋１３とから構成している。そして、この装着蓋１３には、真空吸引装置５側と尿受け器７側との接続口１４ａ、１４ｂを並置しており、これらの接続口１４ａ、１４ｂに対応して、上記箱体１の開閉蓋２の下面側に接続口１５ａ，１５ｂを並置している。
【００１３】
図にしめすようにこの実施の形態においては、開閉蓋２は、上述した従来のもののように箱体１の図中右側の尿タンク室３にのみ対応して設けた構成ではなく、真空吸引装置５を格納した箱体１の図中左側の一部に渡って一体に構成している。
【００１４】
そして箱体１の図中左側には真空吸引装置５の格納室を構成する上壁１６を設け、この上壁１６に、覆い部材１７により覆った接続口を形成し、この接続口に対応する開閉蓋２の個所に接続口１８を設けている。そしてこの接続口１８から上記接続口１５ａに真空吸引経路１９を構成している。この真空吸引経路１９は、接続口１５ａから接続口１５ｂの外側を迂回した空気経路としてプラスチックス等の成形加工により構成された経路部材を開閉蓋２内に支持しており、この真空吸引経路１９の接続口１８側には開閉蓋２０を有するフィルター室が構成されている。
【００１５】
以上の構成においては、開閉蓋２を開とした状態において尿タンク室３内に尿タンク４を入れ、開閉蓋２を閉として固定状態とすると、開閉蓋２の接続口１５ａ，１５ｂが、尿タンク４の装着蓋１３の接続口１４ａ，１４ｂと当接して、夫々気密、水密状態に接続されると同時に、開閉蓋２の接続口１８が覆い部材１７に覆われた接続口を覆って上壁１６に当接して気密的に接続される。
【００１６】
こうして開閉蓋２を閉とすることにより、尿受け器７から尿タンク４に至る尿吸引経路と、真空吸引装置５から尿タンク４に至る真空吸引経路が形成され、採尿器の使用が可能となる。
【００１７】
上述したように本発明に係る尿タンク４は、上述した従来の尿タンクと同様な構成要素を有しているが、次の点が相違している。即ち、本発明に係る尿タンク４では、接続口１４ａ、１４ｂは、並置方向Ｂが取っ手１１の回転軸方向Ａと平行となるように装着蓋１３の中央側に並置しており、また取っ手１１は帯状板材により構成している。
【００１８】
従って、尿が貯留された尿タンク４を取っ手１１を持って持ち運ぶときに、尿タンク４が取っ手１１の回転軸の回りに揺動した場合でも、尿タンク４の揺動における接続口１４ａ，１４ｂの変位が小さいので、尿タンク４内の尿が、これらの接続口１４ａ，１４ｂから流出するのを効果的に防止することができる。
【００１９】
取っ手１１を帯状板材により構成することにより、持ち運びの際に尿タンク４を安定して支持することができ、揺動がし難くなると共に、手に加わる荷重による負担も軽減される。
【００２０】
尚、符号２１は尿タンク４に設けた目盛であり、この目盛２１により尿タンク４内に貯まった尿の量を量ることができる。また符号２２は、尿タンク４を尿タンク室３内に装着した際に、上記目盛２１に対応する箱体１の位置に形成した覗き窓であり、この覗き窓２２を介して上記尿タンク４内に貯まっている尿の状態を知ることができる。
【産業上の利用可能性】
【００２１】
本発明は以上の通りであるので、尿受け器から輸尿用チューブを経て尿タンクに至る尿吸引経路と、真空吸引装置から真空吸引チューブを経て尿タンクに至る真空吸引経路とを有する真空吸引式採尿装置用の尿タンクとして、接続口からの尿の漏出を防止することができ、また、尿タンクの取っ手は、持ち易く、尿タンクを安定して支持することができると共に、手に対する負担を軽減し、使い勝手、メンテナンス性を向上することができ、産業上の利用可能性が大である。
【図面の簡単な説明】
【００２２】
【図１】本発明の尿タンクを使用する真空吸引式採尿装置の実施の形態の外観を示す斜視図である。
【図２】開閉蓋を開いた状態の斜視図である。
【図３】尿タンクを取り出した状態の斜視図である。
【図４】尿タンク部分の拡大図である。
【図５】尿タンク部分の側面図である。
【図６】尿タンクの動作を示す側面図である。
【図７】従来の真空吸引式採尿装置の一例を示す斜視図である。
【図８】真空吸引式採尿装置に使用する従来の尿タンクの一例を示す斜視図である。
【符号の説明】
【００２３】
１                  箱体
２                  開閉蓋
３                  尿タンク室
４                  尿タンク
５                  真空吸引装置
６                  取っ手
７                  尿受け器
８                  輸尿用チューブ
９                  接続部材
１０                ホルダー部
１１                取っ手
１２                タンク本体
１３                装着蓋
１４ａ，１４ｂ      接続口
１５ａ，１５ｂ      接続口
１６                上壁
１７                覆い部材
１８                接続口
１９                真空吸引空気経路
２０                開閉蓋
２１                目盛
２２                覗き窓部
１０１              箱体
１０２              開閉蓋
１０３              尿タンク
１０４              真空吸引装置
１０５、１０６      取っ手
１０７              尿タンク本体
１０８              蓋
１０９              尿受け器
１１０ａ，１１０ｂ  接続口
１１１ａ，１１１ｂ  接続口
１１２              輸尿用チューブ
１１３              真空吸引チューブ
１１３ａ          硬質の部分
１１３ｂ          軟質の部分
【図１】
2009066066.tif 000003
【図２】
2009066066.tif 000004
【図３】
2009066066.tif 000005
【図４】
2009066066.tif 000006
【図５】
2009066066.tif 000007
【図６】
2009066066.tif 000008
【図７】
2009066066.tif 000009
【図８】
2009066066.tif 000010